(57)【要約】      （修正有）【課題】使用時には注水によりホースが自動的に伸長され、不使用時には放水により自動的に元の状態に収縮して復帰する伸縮性二層散水ホースを提供する。【解決手段】先端を閉じた状態で注水により径方向に膨張するとともに長手方向に伸長可能な耐圧ゴムホース１と、該ゴムホース１の径方向膨張を制限する所定直径の円筒形を有し、前記ゴムホースの伸長時の全長に渡る長さを有する非拡張性蛇腹外部ホース２とから二層ホース構造を構成してなり、先端を閉じた状態で後端からの注水により前方への伸長可能で、先端の開放により散水可能である一方、注水を停止するとともに、先端の開放により拡張された内部ゴムホース１の収縮圧により内部水を排水しつつ外部ホース２とともに内部ゴムホース１が収縮するので取り扱いが容易である。【選択図】図１
0003180336.tif 000002
【実用新案登録請求の範囲】
【請求項１】
先端を閉じた状態で注水により径方向に膨張するとともに長手方向に伸長可能な耐圧ゴムホース１と、該ゴムホース１の径方向膨張を制限する所定直径の円筒形を有し、前記ゴムホースの伸長時の全長に渡る長さを有する非拡張性蛇腹外部ホース２とから二層ホース構造を構成してなり、常態では蛇腹状に収縮した前記外部ホース１の内部に収縮した状態の前記ゴムホース１が挿入され、先端を閉じた状態で後端からの注水により内部ゴムホース１は水風船様に直径方向に膨張するとともに、外部ホース２の外径にその直径方向の膨張が制限されて前方への伸長可能で、内部ゴムホースの伸張とともに前記外部ホース２は蛇腹状態を前方に拡張され、内部ゴムホース１の長手方向全長伸長時には内部ゴムホース１と外部ホース２とは棒状一体化し、この状態では先端の開放により散水可能である一方、注水を停止するとともに、先端の開放により拡張された内部ゴムホースの収縮圧により内部水を排水しつつ外部ホース２とともに内部ゴムホースが収縮することを特徴とする伸縮性二層散水ホース。
【請求項２】
先端１１に散水ノズル３１付きストップ栓３を有する一方、後端１２に水道蛇口５に連結する連結具４を有し、先端を閉じた状態で注水により径方向に膨張するとともに長手方向に伸長可能な耐圧ゴムホース１と、該ゴムホース１の径方向膨張を制限する所定直径の円筒形を有し、前記ゴムホースの伸長時の全長に渡る非拡張性外部ホース２とから二層構造を構成してなり、常態では蛇腹状に収縮した前記外部ホース１の内部に収縮した状態の前記ゴムホース１が挿入され、先端を閉じた状態で後端からの注水時には内部ゴムホース１は水風船様に直径方向に膨張するとともに、外部ホース２にその直径方向の膨張が制限されて前方への伸長可能で、前記外部ホース２の蛇腹状収縮状態を前方に拡張しつつ送進され、内部ゴムホース１の長手方向全長伸長時には内部ゴムホース１と外部ホース２とは棒状一体化し、この状態では先端ストップ３の開放により散水ノズル３１から散水可能である一方、注水を停止するとともに、先端ストップ栓３の開放により拡張された内部ゴムホースの収縮圧により内部水を散水ノズルから排水しつつ外部布製ホース２とともに内部ゴムホースが収縮する伸縮性二層散水ホースであって、
前記内部ゴムホース１は天然ゴムからなり、以下の物性及びその近傍の物性を有する肉厚１〜３mmで、内径１０〜１５mmのゴムチューブで、直径２０〜３０mmまで非破裂耐性を有し、径方向２倍程度に口径面積４〜５倍に膨張させ、長手方向に２〜３倍可能で、
物性：線密度（ＬＤ）：１１００〜１２００［ｄｔｅｘ］、１０００〜１１００［Ｄ］；断裂力（ＢＦ）：＞９０［Ｎ］；断裂強度：＞８．００［ｃＮ／ｄｔｅｘ］，＞９．００［ｇ／Ｄ］，
断裂強度係数（ＣＶ）：＜３．００％、断裂伸長率（ＥＡＢ）：１４．０％以上；断裂伸長率係数（ＣＶ）：８．００％以下；４．０［ｃＮ／ｄｔｅｘ］時の負荷伸長率５．０以上；
熱収縮率（ＨＡＳ）：７．５％以上；含油率（ＦＯＹ）０．５５％以上；ＩＭ（intermingling)：５[knots/m]
他方、前記外部ホース２は長手方向に蛇腹状に折りたたみ可能で、内部ゴムホースの膨張許容径を有する円筒形状で、直径方向には非拡張性で内部ゴムホースの膨張を制限可能である布製ホースであることを特徴とする伸縮性二層散水ホース。
【考案の詳細な説明】
【技術分野】
【０００１】
本考案は水道の蛇口などに接続して散水や給水などに使用される伸縮性二層ホースに関するものである。
【背景技術】
【０００２】
散水用等に使用される通液ホースは、通常1層であり、中空で、直線状で伸縮性がない。したがって、通常、この通液ホースは用途に合わせて任意の長さに切断して使用されている。
【０００３】
しかしながら、従来の通液ホースは水道の蛇口から離れた所に散水或は給水する場合は、長い通液ホースを使用しなければならず、ホースが長くなるとホース自体が絡まったり、他の物にひっかかったりして取扱いが不便であり、水の出も悪くなる場合もある。また、長い通液ホースは不使用時の収納に不便であり、通常巻き取って収納される一方、使用時には、散水或は給水をしながらホースを移動したり、手繰り寄せたりするのに大きな力を必要とし、使い勝手が悪い。そこで、短いホースでもある程度離れたところまで散水や給水できる伸縮自在な螺旋形通液ホースが提案されている（特許文献１）。
【先行技術文献】
【特許文献】
【０００４】
【特許文献１】特開平９−１６６２５０号公報
【考案の開示】
【考案が解決しようとする課題】
【０００５】
しかしながら、液体が通過可能なホースを伸縮可能なるように螺旋形に成形すると、伸縮動作により、絡まりやすく、螺旋形保持するのにホースの内部または外部にその螺旋形を保持するための形状保持材を設けることが必要となり、製造コストが高くなる。また、反復使用すると形状保持材を設けても次第に一旦解かれた螺旋形を元の状態に戻すのは困難である。そこで、本考案は使用時には注水によりホースが自動的に伸長され、不使用時には元の状態に収縮して復帰する伸縮性散水ホースを提供することを目的とする。
【課題を解決するための手段】
【０００６】
本考案は、先端を閉じたゴムホースの後端より注水することによりゴムホースを膨張させるようにし、その直径方向の膨張を外部ホースで制限すると、長手方向に伸長することに着目してなされたもので、注水によりホース全長が自動的に伸長され、不使用時には元の状態に収縮して復帰する伸縮性二層散水ホースを提供するものであり、先端を閉じた状態で注水により径方向に膨張するとともに長手方向に伸長可能な耐圧ゴムホース１と、該ゴムホース１の径方向膨張を制限する所定直径の円筒形を有し、前記ゴムホースの伸長時の全長に渡る長さを有する非拡張性蛇腹外部ホース２とから二層ホース構造を構成してなり、常態では蛇腹状に収縮した前記外部ホース１の内部に収縮した状態の前記ゴムホース１が挿入され、先端を閉じた状態で後端からの注水により内部ゴムホース１は水風船様に直径方向に膨張するとともに、外部ホース２の外径にその直径方向の膨張が制限されて前方への伸長可能で、内部ゴムホースの伸張とともに前記外部ホース２は蛇腹状態を前方に拡張され、内部ゴムホース１の長手方向全長伸長時には内部ゴムホース１と外部ホース２とは棒状一体化し、この状態では先端の開放により散水可能である一方、注水を停止するとともに、先端の開放により拡張された内部ゴムホースの収縮圧により内部水を排水しつつ外部ホース２とともに内部ゴムホースが収縮することを特徴とする。
【０００７】
本考案によれば、本考案の伸縮性二層散水ホースは、常態では全体に収縮した状態で、蛇腹状に収縮した外部布製ホース１内部に細長いゴムホース１が挿入されている（図１）が、この状態で内部ゴムホースの先端を閉じて後端より注水すると、細長い収縮した内部ゴムホース内に水が充満し、直径方向に膨張するが、外部布製ホースにより直径方向の膨張が制限されるので、外部布ホースに沿って外部布製ホースの蛇腹状の収縮を拡張しながら長手方向に伸長し（図２（１））、最終的に、内部ゴムホースが全長に伸び、外部布製ホースと一体となって棒状になると、通常の1層中空ホース同様の散水可能状態となる（図３）。この状態で注水を継続しつつ先端ストップ栓３を開放すると、散水ノズル３１から散水可能となる（図４）。散水が終了すると、先端ストップ栓３を開放したまま注水を停止すると、拡張された内部ゴムホースの収縮圧により内部水を散水ノズル３１から放水して排水しつつ外部布製ホース２とともに内部ゴムホースが収縮し（図２（２））、元の状態に復帰する（図１）。
【図面の簡単な説明】
【０００８】
【図１】本考案の伸縮性二層散水ホースの常態における先端、中間及び後端を示す一部断面側面図である。
【図２】本考案の伸縮性二層散水ホースの注水（１）及び排水（２）時の伸長過程の中間及び先端の状態を示す一部断面側面図である。
【図３】本考案の伸縮性二層散水ホースの散水準備完了時の中間及び先端状態を示す一部断面側面図である。
【図４】本考案の伸縮性二層散水ホースの散水時の中間及び先端状態を示す一部断面側面図である。
【考案を実施するための形態】
【０００９】
本考案の伸縮性二層散水ホースの実施の形態の一例を図面に基づいて詳細に説明する。先端１１に散水ノズル３１付きストップ栓３を有する一方、後端１２に水道蛇口５に連結する連結具４を有し、先端を閉じた状態で注水により径方向膨張するとともに長手方向に伸長可能な水風船様ゴムホース１と、該ゴムホース１の径方向膨張を制限する所定直径の円筒形を有し、前記ゴムホースの伸長時の全長に渡る非拡張性布製ホース２とから二層構造を構成してなる。
【００１０】
内部耐圧ゴムホース１は天然ゴムを主成分とする以下の組成からなり、以下の物性及びその近傍の物性を有する肉厚１〜３mm、内径８〜１５mmのゴムチューブで、直径１６〜３０mmまで非破裂耐性を有し、内部水圧により、径方向２倍程度に口径面積４〜５倍に膨張させ、長手方向に２〜３倍延伸させる。
組成：全固形分：６１．５％以上、乾燥ゴム分：５０％以上、非ゴム成分：２．０％以下、全アンモニア含有量：０．６０％以上、水相中アンモニア含有量：２．０％以下、ラテックスｐＨ：１１．０以下、揮発性脂肪酸数（ＶＦＡ）：０．２０以上、機械的安定時間＠５５％ＴＳ（ＢＥＣ）８５０以上、マグネシウム含有量：３０ｐｐｍ以下
物性：線密度（ＬＤ）：１１００〜１２００［ｄｔｅｘ］、１０００〜１１００［Ｄ］；断裂力（ＢＦ）：＞９０［Ｎ］；断裂強度：＞８．００［ｃＮ／ｄｔｅｘ］，＞９．００［ｇ／Ｄ］，
断裂強度係数（ＣＶ）：＜３．００％、断裂伸長率（ＥＡＢ）：１４．０％以上；断裂伸長率係数（ＣＶ）：８．００％以下；４．０［ｃＮ／ｄｔｅｘ］時の負荷伸長率５．０以上；
熱収縮率（ＨＡＳ）：７．５％以上；含油率（ＦＯＹ）０．５５％以上；ＩＭ（intermingling)：５[knots/m]
【００１１】
外部布製ホース２は常態では長手方向に内部ゴムホースの膨張許容径１６〜３０mmを有する円筒形状で、直径方向には非拡張性で、内部ゴムホースの膨張を制限可能である一方、長手方向におよそ３倍伸長可能な蛇腹状のポリエステル繊維布からなるホースである。
【００１２】
本考案の伸縮性二層散水ホースは、常態では蛇腹状に収縮した前記布製ホース１内部に収縮した前記ゴムホース１が挿入されているが、先端を閉じた状態で後端からの注水時には内部ゴムホース１は水風船様に直径方向に膨張するとともに、外側布製ホース２にその直径方向の膨張が制限されて前方への伸長可能で、前記布製ホース２の蛇腹状態を前方に拡張して送進し、内部ゴムホース１の長手方向全長伸長時には内部ゴムホース１と外部布製ホース２とは棒状一体化し、この状態では先端ストップ栓３の開放により散水ノズル３１から散水可能である一方、注水を停止するとともに、先端ストップ栓３の開放により拡張された内部ゴムホースの収縮圧により内部水を散水ノズル３１から放水しつつ外部布製ホース２とともに内部ゴムホースが収縮する。
【００１３】
したがって、本考案の伸縮性二層散水ホースは、常態では全体に収縮した状態で、蛇腹状に収縮した外部布製ホース１内部に細長いゴムホース１が挿入され、先端１１には散水ノズル３１を有するストップ栓３が設けられ、後端１２には水道蛇口５に連結する連結具４を有している（図１）が、この状態で内部ゴムホースの先端のストップ栓３を閉じて後端より注水すると、細長い収縮した内部ゴムホース１内に水が充満し、直径方向に膨張するが、外部布製ホースにより直径方向の膨張が制限されるので、外部布ホース２に沿って外部布製ホースの蛇腹状の収縮を拡張しながら長手方向に伸長する（図２（１））。最終的に、内部ゴムホースが全長に伸び、外部布製ホースと一体となって棒状になると、通常の1層中空ホース同様のストップ栓３の開放により散水ノズル３１から散水可能状態となる（図３）。この状態で注水を継続しつつ先端ストップ栓３を開放すると、散水ノズル３１から散水される（図４）。散水が終了すると、先端ストップ栓３を開放したまま注水を停止すると、拡張された内部ゴムホースの収縮圧により内部水を散水ノズル３１から放水しつつ外部布製ホース２とともに内部ゴムホースが収縮し（図２（２））、元の状態まで復帰するとともにホース内部の水はほとんど放水されるので取り扱いが軽量となる（図１）。
【００１４】
以上の説明で明らかなように、本考案の伸縮性二層散水ホースには、次のような効果がある。内部耐圧ゴムホースと外部布製ホースとからなるので、軽量であり、取り扱いが簡単である。また、伸縮自在な二層形状であるため短くても注水とともに長手方向に伸長され、ある程度離れた所に容易に散水或は給水することができる。注水時に自動的に伸長し、注水停止により自動的にホース内部の水も排水して収縮するので、絡まりにくく、軽量で取扱いも容易であり、不使用時の収納にも便利である。
【図１】
0003180336.tif 000003
【図２】
0003180336.tif 000004
【図３】
0003180336.tif 000005
【図４】
0003180336.tif 000006